(57)【特許請求の範囲】
【請求項１】
ハウジングと、コーディング情報を示す信号を受信するインタフェースと、を有し、テストメディアにつけたサンプルの診断テストを実施する測定器と、
前記測定器に適合するテストメディアを収容し、該テストメディアに関連するコーディング構成要素を有し、かつ、前記測定器と連結されるように構成された容器と、
前記インタフェースを介して前記コーディング情報を前記測定器に提供するように前記コーディング構成要素に設けられたコーディングパターンと、
を含んで構成され、
前記ハウジングには、前記容器の開口部と係合してフィットするように成形されて、これにより、前記ハウジングと前記容器との間の圧力嵌めを可能にする係合部が備えられ、
前記ハウジングの係合部及び前記容器の開口部に配設され、かつ、所定の単一軸方向で前記容器及び前記測定器を相互にかみ合わせて位置決めするように構成され、これにより、前記ハウジングと前記容器との間で位置決めがされない場合、前記ハウジングと前記容器との間の圧力嵌めができないようにするキーイング手段を更に含んで構成された
ことを特徴とする診断テストシステム。
【請求項２】
前記ハウジングは、前記容器の開口を閉じるように構成されることを特徴とする請求項１に記載の診断テストシステム。
【請求項３】
前記コーディングパターンは、前記容器の上部、底部又は側部に適合するようにサイズ設定されることを特徴とする請求項１に記載の診断テストシステム。
【請求項４】
前記コーディングパターンは、前記容器上に形成されることを特徴とする請求項１に記載の診断テストシステム。
【請求項５】
前記コーディング構成要素は、前記容器に着脱自在に取り付けられることを特徴とする請求項１に記載の診断テストシステム。
【請求項６】
前記コーディング構成要素は、前記容器の上部、底部又は側部に取り付けられることを特徴とする請求項５に記載の診断テストシステム。
【請求項７】
前記コーディング構成要素は、メモリチップを更に含んで構成されることを特徴とする請求項１に記載の診断テストシステム。
【請求項８】
前記メモリチップは、電気消去可能プログラマブル読出し専用メモリであることを特徴とする請求項７に記載の診断テストシステム。
【請求項９】
前記コーディング構成要素は、回路基板を更に含んで構成されることを特徴とする請求項７に記載の診断テストシステム。
【請求項１０】
前記回路基板は、前記容器の上部、底部又は側部に取り付けられることを特徴とする請求項９に記載の診断テストシステム。
【請求項１１】
前記メモリチップは、前記測定器が所定回数の診断テストを実施した後に使用不能となるように構成されていることを特徴とする請求項７に記載の診断テストシステム。
【請求項１２】
前記容器は、診断テスト結果を表示するディスプレイを更に含んで構成されることを特徴とする請求項１に記載の診断テストシステム。
【請求項１３】
前記測定器は、前記容器の側部に取り付けられるように構成されることを特徴とする請求項１に記載の診断テストシステム。
【請求項１４】
複合診断装置を形成する統合サンプリング装置を更に含んで構成されることを特徴とする請求項１に記載の診断テストシステム。
【請求項１５】
前記サンプリング装置は、ランセットであることを特徴とする請求項１４に記載の診断テストシステム。
【請求項１６】
前記測定器及び前記サンプリング装置は、着脱装置を含んで構成されることを特徴とする請求項１４に記載の診断テストシステム。
【請求項１７】
前記測定器及び前記サンプリング装置は、クリップ部材により連結されることを特徴とする請求項１４に記載の診断テストシステム。
【請求項１８】
前記測定器及び前記サンプリング装置は、少なくとも１つの孔を有する取り付け部材により連結されることを特徴とする請求項１４に記載の診断テストシステム。
【請求項１９】
コーディング情報を示す複数の導電性コンタクトパッドで構成されるコーディングパターンを基板に提供すること、
ハウジングと、容器の開口部と係合して一致するように成形されて前記ハウジングと前記容器との間の圧力嵌めを可能にする前記ハウジングの係合部と、所定位置に配置された複数の導電性コンタクトで構成されてコーディング情報を示す信号を受信するインタフェースと、を有する測定器であってテストメディアにつけたサンプルの診断テストを実施する測定器に適合するテストメディアを収容するように構成された容器に前記基板を取り付けること、
前記ハウジングの係合部及び前記容器の開口部に配設されたキーイング手段で位置決めすること、
前記ハウジングの係合部を前記容器の開口部にフィットさせること、及び
前記測定器を較正するように前記コーディングパターンを前記インタフェースに接続すること、
を含んで構成されることを特徴とする診断システムのコーディング方法。
【請求項２０】
前記基板を前記容器に取り付けるステップは、前記基板を前記容器の上部、底部又は側部に取り付けることを含んで構成されることを特徴とする請求項１９に記載の方法。
【請求項２１】
前記コーディングパターンを前記インタフェースに接続するステップは、前記複数の導電性コンタクトパッドを前記複数の導電性コンタクトに接触させることを含んで構成されることを特徴とする請求項１９に記載の方法。
【請求項２２】
前記基板は、メモリチップを更に含んで構成されることを特徴とする請求項１９に記載の方法。
【請求項２３】
前記メモリチップは、電気消去可能プログラマブル読出し専用メモリを含んで構成されることを特徴とする請求項２２に記載の方法。
【請求項２４】
前記メモリチップは、回路基板に取り付けられることを特徴とする請求項２２に記載の方法。
【請求項２５】
前記基板を前記容器に取り付けるステップは、前記回路基板を前記容器の上部、底部又は側部に取り付けることを含んで構成されることを特徴とする請求項２４に記載の方法。
【請求項２６】
前記コーディングパターンを前記インタフェースに接続するステップは、前記回路基板が取り付けられた前記容器を前記複数の導電性コンタクトに接触させて配置することを含んで構成されることを特徴とする請求項２４に記載の方法。
【請求項２７】
前記測定器が所定回数の診断テストを実施した後に前記メモリチップを使用不能にするステップを更に含んで構成されることを特徴とする請求項２２に記載の方法。
【請求項２８】
前記基板のコーディングパターンを新規コーディングパターンに置換するステップと、前記新規コーディングパターンについて前記測定器を再較正するステップと、を更に含んで構成されることを特徴とする請求項１９に記載の方法。
【発明の詳細な説明】
【技術分野】
【０００１】
本出願は、２００６年３月１３日出願の米国特許出願第１１／３７３，２８４号の優先権を主張する。
【０００２】
本発明は診断テストの分野に関し、詳細には電子測定器を用いた診断テストシステムに関する。
【背景技術】
【０００３】
診断テストシステムは、一般的に、様々な種類のサンプルについて、様々な種類の診断テストを実施するために使用される。診断テストは、１つのサンプルにおける１以上の分析物の存在、濃度又は総量を測定する定性的又は定量的なテストであってもよい。分析物は医学的に有効な分析物であって、例えば、グルコース、ケトン類、コレステロール、トリグリセリド、人間の絨毛性ゴナドトロピン（HCG）、ヘモグロビンA1C、フルクトサミン、炭水化物、腫瘍標識、鉛、抗癲癇薬、ビリルビン、肝機能指標、毒素又はそれらの代謝物質、規制物質、血液凝固因子（PT，APTT）等であり、血液、尿、組織、唾液等の生体サンプルに含まれている。しかしながら、診断テストは医療分野に制限されるものではない。更に、医療診断テスト測定器は、非医療サンプルである水、土壌、汚水、砂、空気若しくは他のあらゆる適切なサンプル内の分析物、又は化学パラメータを監視するために使用される。
【０００４】
このような診断テストシステムは、サンプル中の分析物の存在に反応するように構成されたテストメディア（例えば、テストストリップ、タブ、ディスク等）、及び、診断テストを実施し、使用者にその診断テスト結果を示すためにテストメディアと接続するように構成された独立の電子測定器と、を含む。
【０００５】
使用者は、診断テストを実施するために、先ず初めにサンプルテストメディア（例えば、テストストリップ）を容器から取得し、次に、サンプリング装置を使用して（例えば、ランセットによる採血によって）、サンプルを得る。続いて、得たサンプルをテストメディアにつける（これは、テストメディアを測定器のインタフェースに挿入する前後のいずれのときでもよい）。次に測定器は、サンプルの診断テストを実施し、その結果を、例えば数値表示して使用者に示す。
【発明の開示】
【発明が解決しようとする課題】
【０００６】
従来の診断測定器は、ハウジングがディスプレイ、電子機器及びテストメディアを含むため大きくなる場合がある。加えて、血液テスト診断システムの使用者は、測定器だけでなく、テストメディア容器及びサンプリング装置をも管理及び携行しなければならない。これら３つの構成要素は特定の順番で操作されなければならず、正確なテストを実施するためにはかなりの注意力及び巧みな操作が必要である。そして、この構成には、一部の使用者にとっては、操作ステップが面倒なだけでなく、テストメディア容器、サンプリング装置及び測定器が相互に取り外される可能性があるため、使用に際して、使用者は診断テストを実施するために必要な１以上の構成要素が欠けていることに気付く場合がある。
【０００７】
当技術分野では周知のように、異なる製造業者のテストメディア又は異なる製造ロットのテストメディアがサンプル中の分析物の存在又は濃度に対して異なる反応を示すことがある。より正確な結果を得るために、電子測定器は、テストストリップのブランド又はロットから提供されたテストストリップに関して、１以上のブランド又はロットの特定較正パラメータが提供されることで較正される。この特定較正パラメータは、標準化基準（standardized reference）に対するテストメディアの特定ブランド又はロットの信号応答に関連するものである。このような較正によって、測定器により記録される結果は、サンプル中の分析物の量をより正確に表す。
【０００８】
診断テストを実施する前に、測定器は適切に較正される必要がある。使用者は、夫々の「コーディング」ステップにおいて、測定器に適切な較正パラメータを提供することが要求される。例えば、テストメディア容器には、測定器がメモリに格納している適切な較正情報にアクセス可能なように測定器に入力するためのコード番号が付けられる。このコード番号は、測定器に較正データを提供するために、例えば、測定器に設けられたボタン又は他の使用者入力装置を用いて、手動入力される。これに替えて、例えば、製造業者のウェブサイトから較正データをダウンロードすることもできる。また、他の方法では、テストメディア容器には、較正データが電子的に格納されたコードチップ（例えば、ROM等）が付随して提供される。使用者は、コードチップを測定器の対応するポートに挿入することにより測定器に較正データを提供する。
【０００９】
これら従来のコーディング方法は、使用者にとって、不便又は困難な場合がある。例えば、高齢者や寝たきりの使用者は、較正データのダウンロードが困難であり、また、コードチップの挿入には、測定器とのデータ接続を達成するために物理的な位置合わせを適切に調整しなければならないため、その挿入が困難な場合がある。さらに、コードチップは、誤って挿入されたり、又は紛失の虞もある。このため、対応するテストメディアを使用できなくなったり、又は非対応のコーディングデバイスと共にテストメディアを使用することにもなりかねない。更に、使用者は、新しいブランド又はロットのテストメディアと共に使用するための、測定器の較正を忘れることもある。従って、使用者は、誤った較正パラメータ若しくはコードを入力したり、又は、あるブランド又はロットのテストメディアを、異なるブランド又はロットのテストメディアで較正された測定器に使用する可能性がある。一旦、測定器が特定ロットのテストメディアで較正された場合に、該測定器の使用者が他のロットのテストメディアを使用すると、使用者に対して深刻な影響を与える誤った結果を招くことがあり得る。例えば、テストが血糖値の自己テストである場合、誤った結果を受けて、使用者が処置を行うか、あるいは処置を怠り、健康を損なうこともある。
【００１０】
上述したコーディングの問題に対する可能な解決案は、全ての市販メディアに同様の機能を保証することである。この方法は、「ユニバーサルコーディング（universal coding）」と称される。ユニバーサルコーディング技法は、厳密な合格基準で管理及び分類されたストリップロット、すなわち、全てのストリップを較正パラメータの単一セットに適合させ、これによって、測定器１３０に格納されるパラメータの複数セットの必要性を取り除くことができる。このユニバーサルコーディングは、測定器１３０を多数の異なるテストストリップ容器１１０に使用可能とすることにより、測定器１３０を取り替えるコストを節約する。製造の観点からすると、ユニバーサルコーディングされたメディア１２０は、製造されたストリップロットが同一に機能し、測定器の固定較正データに適合するようコード化されるように厳密に管理される必要がある。この方法は、テクニックに依存せず、また、異なるストリップロットが混ざり合うことに起因するエラーの防止に役立つ。更に、ユニバーサルコーディングは、測定器１３０とストリップロットコードとの間に不適合が生じないように補正コードを常に有する。しかし、この方法により課される小幅な制限枠は、固有の相違を含む大規模な製造プロセスに対して十分に適合しない。高スループットのバッチ系の製造技術を用いた場合、テストメディアが完全に一致した機能を確実に示すことはほぼ不可能であるため、ユニバーサルコーディング技法は、常に不適合なメディアロットとなる。このメディアは、コスト及び望ましくない廃棄物を増加させるため使用に適さない。
【００１１】
従って、持ち運びに便利であり、使用者が較正されていないブランド又はロットのテストメディアを診断測定器に使用する機会を最小限に抑える診断テストシステムが要求される。
【課題を解決するための手段】
【００１２】
本明細書に記載された態様は、診断テストシステムの提供により上記の要求及び他の要求を満たす。診断テストシステムは、ハウジング及びコーディング情報を示す信号を受信するインタフェースを有し、テストメディアにつけたサンプルの診断テストを実施する測定器と、テストメディアに関連するコーディング構成要素を有し、前記測定器に適合するテストメディアを収容するように構成される容器と、を含み、付随するテスト容器から新容器への測定器の付け替えは、ロットの特定コード情報をメディアの新容器から測定器へ転送する複数のコーディング方法のうちの１つを用いることを含む。
【００１３】
本発明の態様では、測定器は、容器の開口部を選択的に閉じる閉止部を含む。更に、ランセット等のサンプリング装置が測定器に使用可能に連結される。これにより、使用者は容器から取り外すことなくサンプリング装置を使用し、サンプルを得るように構成される。
【００１４】
本明細書に記載された態様は、オン−コンテナコーディング技術を更に提供し、容器１１０の上部、底部及び側部において利用可能な広いスペースにより、より広範囲なコード番号をエンコードすることができる。この方法は、使用者のテクニックに依存することなく、ほとんどの使用者に分かり易い方法であり、コードチップの変更忘れ又は手動入力技術に関連する一般的なコーディングエラーが取り除かれる。
【００１５】
本明細書に記載された態様は、テストストリップ容器を受けるレセプタクルを有する測定器ハウジングを更に提供する。また、測定器ハウジングは、メディアプレーヤー、地上波ラジオ又は衛星ラジオ、トラベルアラームクロック、テストアラーム、音声メモ記録装置、携帯情報端末（ＰＤＡ）、携帯電話、又は他の追加機能等の受信装置であってもよい。これにより、該装置には、テストストリップ容器に配置されたコードと同様に、該装置が測定器に連結して使用するために読み取らせるコードが設けられる。
【００１６】
本発明の態様は、更に、補充可能なテストストリップ容器を統合された測定器に提供することもできる。テストストリップの独立したホイルポーチ及び任意で乾燥剤を補充品として容器に設けられる。この統合システムは、測定器及び容器の両方が常に再利用出来るという利点があり、これによって、効果的なマーケティング並びにパッケージング、及び容器の形状及びデザインの多様化が可能になる。
【００１７】
本発明の付加的な態様及び利点は、一部は以下の記載で説明され、一部は記載から明らかになるか、又は本発明の実施により知ることが出来る。本発明の利点は、添付の特許請求範囲において、特に指摘した構成要素及び組み合わせによって実現され、達成される。
【００１８】
なお、上述した概略的な記載及び以下の詳細な記載は、単なる例示上及び説明上の記載であり、本発明の特許請求の範囲を限定するものではないことを理解するべきである。
【発明を実施するための最良の形態】
【００１９】
本明細書の一部に組み込まれて構成される添付図面は、本発明の幾つかの実施形態を例示し、その記載と共に本発明の原理を説明するために用いられる。
【００２０】
添付された図面を参照して、本発明の例示的な実施形態を詳述する。同一の参照番号は、同一又は類似の構成を示すように、可能な限り図面の全体を通して使用される。
【００２１】
１．統合システム
【００２２】
図１は、本発明の例示的な一実施態様に従って診断テストを実施する統合システム１００を示す。例示的な統合システム１００は、例えば、テストストリップ１２０等のテストメディアを収容する容器１１０、及び、容器１１０に収容されたテストストリップ１２０を用いて診断テストを実施する測定器１３０、を含む。
【００２３】
例示的な一実施形態において、図３に示すように、診断テストはテストストリップ１２０のサンプル室１２１に加えた全血サンプル中のグルコースの総量を測定する。血糖テストのために、測定器１３０は、様々な技術の何れかを利用できる。実施例として、診断テストは、電量分析、電流測定、電位差測定等の電気化学技術を利用する。例示的な電気化学装置は、２００４年６月１日に公布された先の米国特許第６，７４３，６３５号及び２００５年９月２０日に公布された先の米国特許第６，９４６，２９９号に記載されている。両特許は、「血糖テストのシステム及び方法（SYSTEM AND METHOD FOR BLOOD GLUCOSE TESTING）」と題されるものであり、出願時に本出願と同様の譲受人により所有されており、更に、参照することにより本明細書にそのまま組み入れられるものとする。或いは、測定器１３０は、サンプル中のグルコースの総量を測定するために、例えば、反射、透過、散乱、吸収、蛍光、電気化学発光等の光度測定技術も利用してもよい。例示的な光度測定システムは、米国特許第６，２０１，６０７号、第６，２８４，５５０号及び第６，５４１，２６６号に記載されている。これらは、出願時に本出願と同様の譲受人により所有されており、参照により本明細書に組み入れられるものとする。しかしながら、電気化学技術は、現在、好適な技術である。これは、光度測定技術が必要とする血液サンプル量（約１μＬ以上）よりも、電気化学技術が必要とする血液サンプル量（約１μＬ以下）の方が少量だからである。更に、電気化学技術を用いた測定器は、一般的に、光度測定技術を用いた測定器よりも電力消費量が少なく且つより小型である。
【００２４】
本発明の原理が、上述した他のタイプの診断テスト及び技術に等しく適用可能であるという了解の下で、統合システム１００を、電気化学技術を用いて血糖濃度を測定する診断テストに関連させて説明する。更に、本発明は、テストストリップ１２０形状のテストメディアを利用する場合を例示するが、本発明の例示的な実施形態は、このメディアを特定のタイプに限定するものではない。また、当業者であれば、本発明の原理が、例えば、タブ、ディスク等の他形状のテストメディアを利用する診断テストシステムに対して、等しく適用可能であることを理解するであろう。
【００２５】
測定器１３０は、ハウジング１３１内に含まれる。測定器ハウジング１３１には、容器１１０の開口部１１１を選択的に閉じるために容器１１０に係合する閉止部１４０（図１における測定器１３０の底部）が取り付けられるか、又は、含んでもよい。当業者には明らかなように、本明細書で用いる用語「取り付ける」は、「属する」、「関連する」、「付着する」、「接合する」、「連結する」、「締める」、「固定する」、「固着する」等を意味するように用いられる。また、図４に示すように、容器１１０の底部は、保持（リテーナ）クリップ、ねじ山、留め金、又は他の保持方法（図示省略）等によって測定器ハウジング１３１に取り付けられてもよい。あるいは、容器１１０の底部は、位置決めをするキーのある位置で、測定器ハウジング１３１のレセプタクル１４５へ挿入されてもよい。この場合、測定器１３０は、容器を正確に読み取るためのコードの配置と一致するように、容器１１０を整列配置させるためにキーがかけられる（図５及び図６参照）。当業者であれば、レセプタクル１４５を有する測定器ハウジング１３１が、メディアプレーヤー、地上波ラジオ又は衛星ラジオ、トラベルアラームクロック、テストアラーム、携帯情報端末（ＰＤＡ）、携帯電話、音声メモ記録装置、又は他の追加機能等のコード装置を更に受容できることを理解するであろう。この場合、該装置には、容器１１０に配置されたコードと同様に、該装置を測定器１３０に連結して使用するために読み取らせるコードが設けられる。
【００２６】
例示的な図５の一実施形態において、測定器ハウジング１３１は、測定器１３０の電源を入れ又は使用後に容器１１０を取り外す使用者制御機能を実現する１以上のボタン１３２を含む。図５に示すように、ボタン１３２は、ディスプレイ１３３を真上に向けて統合システム１００を右手で保持したまま、右手の親指又は人差し指で簡易に押すことができる。しかしながら、ボタン１３２は測定器１３０の他の場所に配置されてもよい。例えば、ボタン１３２は、左利きの使用者に都合が良いように測定器ハウジング１３１の右側面（図２７参照）、又は測定器１３０の上面に配置することができる。
【００２７】
図７に示すように、測定器ハウジング１３１は、１以上の容器１１０を受容するように構成された保持具１４４を更に含む。保持具１４４は、使用されないときは閉止部１４０の下部に格納されるように構成され、追加の容器１１０を受容して保持するために容器１１０の横位置に（位置矢印によって示されるように）摺動可能に移動する。本実施形態では、測定器ハウジング１３１は、閉止部１４０に適合するように形成された一端（例えば、図１における測定器ハウジング１３１の底部）を有し、例えば、機械的連結（例えば、クリップ等）、ボンディング（bonding）、接着剤による接着、溶接等によって、閉止部１４０に固定される。また、閉止部１４０は測定器ハウジング１３１と一体的に形成することもできる。これにより、測定器１３０及び閉止部１４０は共に容器１１０のキャップ又は蓋を構成する。
【００２８】
閉止部１４０は、複数の方法により、容器に係合するように構成される。閉止部１４０は、その閉位置（図３及び図４参照）において、容器１１０からテストメディアの紛失又は除去を十分に防止するために、開口部１１１を閉じる。従って、閉止部１４０は、テストストリップ１２０が開口部１１１から飛び出ることを防止するために、その閉位置において容器１１０に係合するように構成される。また、容器１１０及び閉止部１４０は、テストメディアの汚染又は性能低下を防ぐために、光、液体、蒸気又は空気の何れも容器１１０へ浸入しないように構成される。テストメディアが、中毒性又は窒息の危険性があるように構成されている場合には、子供が容器１１０を開け、テストメディアに触れないようにするために、閉止部１４０を子供が操作できないように任意に構成する。例えば、閉止部１４０及び容器１１０は、医薬品又は家庭用化学品の周知の小児用安全容器と同様の方法で構成されるとよい。
【００２９】
例えば、閉止部１４０及び容器１１０に相互係合するネジ山（図示略）を備えさせることにより、閉止部１４０は、ネジ切りキャップとして構成される。また、閉止部１４０は、開口部、例えば、開口部近くの溝（図示略）内を摺動するように構成される。更にまた、閉止部１４０は、容器１１０に係合する戻り止め等の留め具（図示略）を備えることもできる（又は、その逆も同様である）。留め具は、ボタンによって解除できる。しかしながら、一実施形態においては、閉止部１４０は、光、液体及び蒸気の浸入に対して開口部を封止するために、容器１１０と圧力嵌めを形成するように構成される。例えば、図１において、閉止部１４０は、開口部１１１の外側が圧入される凹部（図示略）を有して構成される。これにより、開口部１１１の周縁が閉止部１４０の内面にフィットする。また、図２に示すように、閉止部１４０は、開口部１１１の内側と係合するように形成された突起部２４１を有して構成される。しかしながら、本発明は、容器及び閉止部を何れかの特定の構成に限定するものではないこと、及び、本発明の原理と整合する他の構成を利用できること、が理解される。
【００３０】
製造を容易にするために、開口部１１１は、容器１１０と同形状に形成される。また、例えば、測定器１３０のハウジング１３１も、統合システム１００が使用者のポケット内で保持し易く、また持ち運び易いように、容器１１０の外形と同形状に形成される。しかしながら、容器１１０、測定器１３０及び開口部１１１は、同一の外形状である必要はなく、及び、容器１１０及び測定器１３０は、本発明の範囲から逸脱しなければ異なる形状で構成されてもよい。
【００３１】
実施形態として、図１及び図２に示すように、容器１１０は、略直円柱であり、及び、開口部１１１は、円形状である。円形状は、閉止部１４０と容器１１０との間の圧力嵌めにより形成される均一な密封を可能にするため、開口部の１つの可能な構成である。また、図１〜図４に示すように、統合システム１００が、例えば、ズボンのポケット内で保持し易く及び持ち運び易い、全体が略円筒形状を有するように、測定器１３０もまた容器１１０の幅と同様の幅を有する略円形状及び円筒形状でもよい。しかしながら、容器１１０、測定器１３０及び開口部１１１は、多数の他の形状にも形成されることができる。例えば、使用者のシャツポケットに上手く収めるために、容器１１０は、長円形、楕円形又は長方形のシリンダーとして形成されることができる。更に、特別仕様の形状も可能であり、又、容器は、個々の使用者が気に入るようなグラフィカルなデザインや提携ブランドパートナー等の会社のロゴを強調するようにカスタマイズできる。
【００３２】
図２に示すように、液体及び気体の浸入を一層防止するために、容器１１０及び閉止部１４０は、閉止部１４０が閉位置にあるときに、互いにぴったりとくっついてフィットするように夫々が一致するフランジ１１２及びフランジ２４２を備える。また、閉止部１４０は、実施形態として、突起部１４３を備える。突起部１４３は、例えば、使用者が突出部１４３に対して親指で上方へ力を加えることによって容器１１０開閉を十分に補助するために、容器１１０の側面から張り出している。突出部１４３は、フランジ２４２の延長部分である。一方、図３に示すように、突出部１４３は、測定器ハウジング１３１上に直接形成されることもできる。
【００３３】
図１に示すように、容器１１０は、容器１１０から測定器１３０及び閉止部１４０を完全に取り外すことによって開けられる。また、測定器１３０及び閉止部１４０の少なくとも一方は、測定器１３０が容器１１０から分離することを防止するために、容器１１０に連結される（図２）。容器１１０及び測定器１３０は、例えば、ヒンジ、ランヤード、又は、例えば、可撓性プラスチックバンド若しくはワイヤ等の（図示略）他のフレキシブルコネクタによって連結されることができる。図２に示す本実施形態では、ヒンジ２５１は、容器１１０と、測定器ハウジング１３１及び閉止部１４０の少なくとも１つと、を連結する。ヒンジ２５１は、開口部１１１が閉じられた状態であるときに、該開口部１１１と突起部２４１とがフィットするように配置される。コネクタ（例えば、ヒンジ２５１）は、容器１１０に連結される一端と、閉止部１４０及び測定器ハウジング１３１の少なくとも一方に連結される他端と、を有する。例えば、容器１１０及び閉止部１４０は、周知技術のヒンジによって一体的に連結される。また、コネクタ（例えば、ヒンジ２５１）の一端は、容器１１０に合致する大きさに設定されたリング２５２に連結される。リング２５２は、摩擦抵抗により容器１１０に係合するように構成される。他の方法として、例えば、リング２５２は、溶接、接着剤による接着等によって、容器１１０に固着される。更に、容器１１０は、容器を開いたときに、その中身を自動的に又は選択的に照らす発光ダイオード（ＬＥＤ）２５３を含む。図８〜図１０に示すように、ＬＥＤ２５３は、容器１１０又は測定器ハウジング１３１に配置されるか、若しくは容器１１０の外部を照らすために更に配置される。
【００３４】
一実施形態において、容器１１０及び閉止部１４０は、射出成形方法を用いてポリプロピレンから形成される。しかしながら、他の原料及び方法も、本発明の範囲から逸脱しなければ用いることができる。
【００３５】
統合システム１００は、テスト用のサンプルを得るために使用者が使用するサンプリング装置を更に含んでもよい。サンプリング装置は、生体サンプルの採取に適している。例えば、サンプリング装置は、血糖値の診断テスト等において、使用者が採血するために使用する穿刺装置を含む。
【００３６】
図３は、穿刺装置３６０を組み込んだ例示的な統合システムを示す。例示的な穿刺装置３６０は、後部体３１２、指カバー３１４、外部ノズル３１８、内部ノズル３２２及びトリガー３２４を含む。例示的な穿刺装置３６０は、接触面３２１を越えて使用者が選択した深さまで皮膚を穿刺するランセット３２０を前進させるための内部スプリング（図示略）を更に含む。
【００３７】
図３に示すように、例示的な穿刺装置３６０は、容器１１０に連結される。穿刺装置３６０は、例えば、後部体３１２、指カバー３１４、外部ノズル３１８若しくは内部ノズル３２２を容器と結合して形成することによって、又は、これら構成要素の１つを例えば、機械的連結（クリップ、ブラケット、タブ、溝等）、ボンディング、接着剤による接着、溶接等により容器１１０に固着することによって、容器１１０から取り外せないように連結される。当業者に明らかであるように、他の周知手段を用いることもできる。また、穿刺装置３６０は、穿刺装置３６０及び容器１１０の夫々が対応する解除式コネクタ等の着脱装置を備えることによって、着脱自在に容器１１０に連結される。例えば、穿刺装置３６０には、容器１１０の対応構造に係合する１以上の溝、穴、孔、筺体又はクリップが備わっている。また、その逆も同様である。図１１に示すように、保持クリップ６０８は止り嵌めとなるように容器１１０上に及んでいる。保持クリップ６０８は穿刺装置３６０の適所に着脱自在に係合するクリップを含む。同様に、図１２は、容器１１０に係合するように設計された保持穴６１０と穿刺装置３６０とを共に取り付けたものを示す。当業者であれば、例えば、ブラケット、磁石、差込ロック、溝、タブ、フック及びループファスナー等の他の保持具を、診断テストに用いる１以上の装置の取り付け用に使用できることを理解するであろう。更に、穿刺装置３６０は、測定器１３０のハウジング１３１又は閉止部１４０に連結されてもよい。例えば、後部体３１２、指カバー３１４、外部ノズル３１８又は内部ノズル３２２の何れか１つのみが、容器１１０に連結される。これは、穿刺装置３６０を、容器１１０から取り外さずに調整及び使用できるようにするためである。
【００３８】
例示的な穿刺装置３６０を使用し、サンプルを採血するためには、先ず、使用者は、外部ノズル３１８上の深度計３２６を内部ノズル３２２上の矢印３２８に合わせるために、外部ノズル３１８を回転させる。これによりランセット３２０の所望の穿刺深さを選択する。次に、使用者は、内部ノズル３２２を後部体３１２から離す方向に引っ張ることにより内部スプリングに負荷を与え付勢し、穿刺する皮膚表面に接触面３２１を設置する。次に、使用者は、接触面３２１を超えて指示深度までランセット３２０を皮膚内に穿刺する内部スプリングの付勢を解除するために、トリガー３２４を作動させる。その後、血液サンプルが、テストストリップ１２０のサンプル室１２１に加えられる。
【００３９】
例示的な穿刺装置３６０の更なる詳細は、２００４年１月１５日に出願された、「穿刺装置（LANCHING DEVICE）」と題する先の米国特許出願第１０／７５７，７７６号、に開示されている。この出願は、出願時に本出願と同様の譲受人により所有されており、参照により本明細書に組み入れられるものとする。しかしながら、本発明は如何なる特定のサンプリング装置にも限定されず、及び、当業者であれば、他のサンプリング装置を上述した例示的な穿刺装置と同様の方法で組み込めることを理解するであろう。
【００４０】
２．不適切なテストストリップ使用の防止
【００４１】
測定器１３０は、テストメディアの特定のブランド又は製造ロットを使用するために較正される。これは、１以上の較正パラメータを用いる特定のブランド又はロットについて、測定器１３０が実施する診断テストをカスタマイズすることにより行われる。これら較正パラメータは、例えば、温度補正などの環境補正、インキュベーション時間等に関するタイミング周期の補正、電気化学テスト等に用いる電圧補正、光度測定テスト等に用いる色の変化、を含み、テストメディアの特定のブランド又は製造ロットに対して、コントローラ（図示省略）の診断テスト機能をカスタマイズする。上述の参照により本明細書に組み入れられる米国特許第６、７４３、６３５号及び米国特許第６、９４６、２９９号を参照されたい。
【００４２】
本発明の実施形態において、統合システム１００は、測定器１３０と共にパッケージ化されるテストストリップ１２０の１以上の容器１１０又はマガジン５１０を含む（図１３参照）。パッケージ内のテストストリップ１２０の夫々は、同一の製造ロットであるか又は血糖に対して同一の特性反応を有する。これは、測定器１３０が、一旦較正された後は、再較正をすることなく、パッケージ内のいずれのテストストリップ１２０でも使用できるようにするためである。マガジン５１０は、積み上げ（スタック）配置を維持するために、テストメディア形状と同様の内側形状を有してもよい。例えば、図１に示すようなテストストリップ１２０であれば、マガジン５１０の室内は略矩形の横断面となる。
【００４３】
ばね５１６は、マガジン５１０の上部５１８に向かってテストストリップのスタックを押し上げる。ここで、最上にあるテストストリップ１２５は、ストリップ分配機構部４６０に対して使用可能な状態に配置される。分配機構部４６０は、検出器４１２と結合しており、線形機構の動き及び回転機構の動きの少なくとも一方を利用してスタックの最上にあるテストストリップ１２５を分配する。機構の動きは、例えば使用者がスライドを引っ張り又はホイールを回転させる等の手動によって実行されるか、又は、例えばステッピングモータ等のモータを使用者制御機能部により作動させることによって実行される。最上にあるテストストリップ１２５は、スタックから摺動されて溝５２０を通過する。この実施形態において使用されるテストメディアは、滑らかな排出（エジェクタ）を可能とするために、例えばポリテトラフルオロエチレン（PTFE）等の非摩擦コーティング又はフィルムをテストメディアの両面に施すことにより改善される。
【００４４】
パッケージされた測定器１３０の診断テスト機能は、例えば、テストメディアと関連させるためのカスタマイズ用の命令及びデータの少なくとも一方を提供する製造会社又は販売店により、予め較正される。また、測定器１３０は、診断テストを実施する前に、テストメディアの特定のブランド又はロットに関する測定器の較正を使用者に要求することによって、使用者レベルで較正されることもできる。例えば、使用者は、較正データ若しくは較正データを導くコントローラ（図示省略）が出力するコードを入力又はダウンロードするために、使用者制御機能部又は入出力機能部を使用する。他の方法では、夫々のテストメディア容器１１０（又は同一ロットで構成された共通パッケージでグループ化した容器）は、電子較正データを格納するデータ記憶装置と共に提供される。上述の参照により本明細書に組み入れられる米国特許第６、７４３、６３５号及び米国特許第６、９４６、２９９号を参照されたい。
【００４５】
パッケージ内のテストストリップ１２０が同一の製造ロットでない場合、又はテストストリップ１２０が血糖に対する同一の特性反応を有しない場合、使用者は、測定器１３０を新しいブランド又はロットのテストメディアに対応するように較正することを忘れる虞がある。そこで、本発明では、測定器１３０が誤って較正された場合に、使用者に対して深刻な影響を与える誤った結果を防止する幾つかの異なるコーディング技術を用いることによって、測定器１３０をテストストリップ容器１１０から取り外して他の容器に付け替えることができるようにする。測定器が、適合ロットのストリップに対してコーディングされた容器と適切に関連する限り、使用者は、測定器に更なるプログラムを与える処理は不要である。当業者であれば、異なるコーディング技術及びコーディング構成要素が、サンプル中の特徴的な分析物をテストする様々な診断テストを提供するために用いられることを理解するであろう。
【００４６】
一実施形態において、古いコードチップ又はボタンコードの使用に関連して通常起こり得るコーディングエラーは、オン−コンテナコーディング方法により防止される。オン−コンテナコーディング技術は、容器１１０の上部、底部及び側部において利用可能な広いスペースにより広範囲なコード番号をエンコードすることができる。測定器１３０は、容器１１０を正確に読み取るためのコードの配置と一致するように、容器１１０を整列配置させるためにキーがかけられる。また、容器は測定器に挿入される前に予め読み取られてもよい。この方法は、使用者に依存した技術又は使用者に分かり易い技術ではなく、従来技術におけるコードチップ又はボタンコードの変更し忘れに関連して通常起こり得るコーディングエラーを取り除く。ストリップは、容器のストリップロットコードアソシエーション（container strip lot code association）により、異なる容器中に混合されることはない。測定器は、予めコードに適切にアクセスしない限り、テストを実施しないようにプログラムされている。
【００４７】
図１４及び図１５に示すように、オン−コンテナコーディング方法は電気伝導コーディングパターンを含む。該電気伝導コーディングパターンは、基板１４７に配置されるか、テストストリップ容器１１０に直接プリントされるか、又はステッカーとして容器１１０に貼り付けられる。これにより、測定器１３０は、容器を取り付けたときにコーディングパターンと接触（コンタクト）する。次に、測定器１３０は、コーディングパターンの選択された電気特性、例えば、抵抗値等を読み込む。電気的値は、測定器１３０に格納された特定のテストストリップロットに対する適切なコードグループに関連する。基板１４７に配置されたコードパターンを新規コードパターンに置換するとき、上述したように、新規コード値を有する測定器を再較正するために、使用者は該測定器を容器に取り付けるだけでよい。
【００４８】
図５及び図６に示すように、統合システム１００は、容器１１０を取り外し可能な測定器１３０と共に使用するように構成されるか、又は、位置決めをするキーのある位置で、容器１１０を測定器ハウジング１３１のレセプタクル１４５へ挿入するように構成される。オン−コンテナコーディング方法は、容器１１０内にテストストリップ１２０を完全にパッケージして製造した後に、テスト容器１１０に適用できる点で有益である。当業者であれば、製品タイプ、テストタイプ等の他の情報もまた容器１１０にエンコードできることを理解するであろう。
【００４９】
容器１１０に格納される情報は、ロット較正用パラメータの全セットと同程度に複雑であるか、又は、測定器１３０内に予めプログラムされたロット較正に関連するロットコードインデックスのように単純でありうる。図１６に示すように、基板１４７は、１６個のコンタクトパッド１４９又はコーディングビットを有するコーディングパターンを含み、２×１０１６（６５５３５）個のコーディング番号又は１６ビット情報の選択可能性を提供する。コードコンダクタを基板１４７から露出させるか若しくは除去してもよく、又は、プリントされた電気絶縁パターンで導電基板を覆って、オープンエンコーディング、クローズエンコーディング、又は抵抗エンコーディングを形成することもできる。１つのコンタクトパッド１４９が一般的なコーディングビットとして使用される場合、２×１０１５（３２７６８）個のコードが形成されるだけだが、コーディングパッド１４９毎にただ１つのコンタクトを必要とするだけなので、より多くの情報を格納することができる。また一方、一般的なコーディングビット以外の個々のパッド１４９がコーディングビットを構成するためには２つのコンタクトを必要とするため、減少したコード数は有効である。当業者であれば理解できるように、生成及び選択できるコードが多いほど、システム構成における柔軟性が増す。コーディング技法は、２００５年７月１５日に出願された同時継続中の米国特許出願第１１／１８１、７７８号におけるオンストリップコーディングに関する記載と類似しており、本出願と共通の譲渡人である。更に、参照により本明細書に組み入れられるものとする。
【００５０】
コード化コンタクトパッド１４９に対するインタフェースは、抵抗であり、アナログ方式で読み取るか、又はデジタル方式で閉止のオンオフ切り替えスイッチとして読み取る。アナログ抵抗オン−コンテナコーディング（analog resistive on-container coding）の場合、容器１１０を測定器１３０に連結すると、測定器１３０は、抵抗値パターンを読み取り、特定テストストリップロットに対する適切なコードグループを選択する。図１７及び図１８に示すように、アナログ方式は予め設定された抵抗ラダー（Ｒ、２Ｒ、４Ｒ、８Ｒ）を必要とする。該抵抗ラダーは、プリントされた非導電性インクの順列が電圧降下、抵抗測定又は電流測定をもたらす異なるロットコード情報と関連することができるように、コンタクトパッド１４９を相互接続させる。抵抗器もまた、異なる値でプリントされ、類似した装置により読み込まれる。また、アナログ方式では、夫々のコードが、測定器１３０を起動させる低インピーダンス接続を形成する非導電性インクがかからない少なくとも１つのコンタクトパッド１４９を有する限り、自動電源機能として同時に使用される。図１７及図１８は、夫々、ネガティブレベル及びポジティブレベルの起動トリガーを用いたアナログコードインタフェースを示す。アナログ電圧、抵抗又は電流レベルもまた、テストタイプの識別、テストのシミュレート、テストストリップ１２０の確認、又は使用されている製造テストの確認に使用される。
【００５１】
オン−コンテナコーディングのデジタル伝導スイッチに関し、バイナリコード番号は、ロットコードにおいて１値又は０値で表すスイッチを開閉するスイッチとしてパターン化コンダクタを用いてエンコードされる。アナログ抵抗コーディングと同様に、デジタル伝導コーディングにおいて、コーディングパターンは、予めプリントしたものを容器１１０に取り付け、又は容器に直接プリントする。図１９に示すように、コードコンタクトパッド測定器インタフェースは、インタラプト（Int）並びにＡ／Ｄコンバータを有するマイクロコントローラ及びアナログフロントエンド、複数の抵抗（R）、及び複数のスイッチ（Ｓ１、Ｓ２、Ｓ３、Ｓ４及びＳ５）を有するストリップコネクタインタフェースを含む。容器１１０が測定器１３０と連結して設置される場合、少なくとも１つの閉じられたコンタクトスイッチを有する測定器１３０は複数のインタラプトを介して電源が入る。
【００５２】
デジタル方式は、アナログ方式が必要とする単一入力ではなく、個々の入力を読み取る夫々のコンタクトパッド１４９を必要とする。自動電源オン機能が同時に使用されるデジタル方式では、入力には、マイクロコントローラのインタラプトと共に配線されるか、又は該インタラプトに接続されることが必要とである。夫々のコードは、低インピーダンス接続がマイクロコントローラを起動させることができるように、非導電性インクがかからない少なくとも１つのコンタクトパッド１４９備える。また、１つのコンタクトパッド１４９は、測定器１３０を起動させるために、及び、テストストリップ１２０又はコードプリントが適切な配置であるかどうかを示すために、単独で用いられてもよい。
【００５３】
上述したように、高レベル及び低レベルのインピーダンスを有する非導電性インクは、実装されるコンタクトパッド１４９の数に基づいてコードインデックスを生じるバイナリコードを作り出す。ここで、コード数はＮ＝２Ｐであり、Ｐはコンタクトパッド１４９の数を表す。デジタルオン−コンテナコーディング方法が、自動電源オン機能と統合される場合、発生するコード数はＮ＝２Ｐ−１に減少する。テストストリップ１２０が測定器１３０に挿入されると、１つのコンタクトスイッチが閉じられ、マイクロコントローラのインタラプトがハイ又はローになることによって、測定器１３０が起動する。次に、測定器１３０は、電圧出力（Ｖout）を確認してテストタイプを決定し、コードビット読み取ってコード値を決定する。コード番号やコード状態は、測定器がスリープ状態に移行する前の少しの間に、測定器１３０の液晶ディスプレイ（ＬＣＤ）上に表示される。測定器１３０によって選択されたコード値は、テスト構成に使用するために、測定器メモリ内に格納された一連の係数に関連付けられる。更に、このコードは、他のタイプのストリップパラメータ情報、即ち、コード整合性、測定器のタイプ、測定器１３０におけるテストストリップ容器１１０の適切な配置、製造測定器の品質管理（ＱＣ）テスト等に関連付けられる。製造測定器の品質管理テストは、特殊テストであることを識別するために、コードコンダクタの標準抵抗の代わりに、コード回路に追加の固定抵抗を挿入することによって識別される。更に、複数の抵抗器（Ｒ）全体の電圧降下は、接触抵抗が有効であるか、又は抵抗コーディング表示に使用されるか否かを確認するために利用される。例えば、容器１１０を測定器１３０に連結して取り付けた後、測定器１３０は、Ａ／Ｄコンバータを有する抵抗コンタクトパッド１４９から接触抵抗を読み取り、ストリップロットコード情報をエンコードする。
【００５４】
これに替えて、又は加えて、オン−コンテナコーディング方法は、テストストリップ容器１１０に埋め込まれ又は取り付けられるコード化メモリチップ１５１を含む。コード化チップは、電気消去可能プログラマブル読出し専用メモリ（ＥＥＰＲＯＭ）である。容器１１０にメモリチップ１５１を埋め込むことにより、可能な限り最大量のストリップロットコーディングパラメータに関する情報を格納することを可能にする。メモリチップ１５１は、テストストリップ容器１１０の上部、底部又は側部に取付けられるプリント回路基板（ＰＣＢ）１５３に搭載される。そして、ＰＣＢ１５３が測定器１３０に挿入又は取り付けられると、測定器１３０上の機械的接続コンタクト１５５がＰＣＢ１５３及びＥＥＰＲＯＭチップ１５１に接触するように構成されているので、データが測定器メモリ（図示省略）内へ読み込まれ、そして転送される。コード化メモリチップ１５１は、より高価な測定器構成要素１３０を何度も再利用可能にする点で金銭面において有益である。これに対し、安価なコード化メモリチップ１５１は、使用後に使用済みテストストリップ容器１１０と共に廃棄される。加えて、テストストリップ１２０は、容器のストリップロットコードアソシエーションにより、異なる容器中に混合されることはない。更に、埋め込まれたＥＥＰＲＯＭメモリチップ１５１は、予め設定されたテストの所定回数に達すると使用不能になる。当業者であれば、多数の他の格納されたパラメータ、例えば、ストリップ特定テストパラメータ、製品、テストタイプ等が、メモリチップ１５１を使用不能にできることを理解するであろう。
【００５５】
図２０〜図２３に示すように、メモリチップ１５１は、夫々のテストストリップ容器１１０についてのロットコード情報を転送又は格納するコンタクトパッド１４９と共に、ＰＣＢ１５３上に取付けられる。取り外し可能な測定器１３０及びコーディング情報を有するＰＣＢ１５３は、容器１１０の上部又は底部に取り付けられる（図２０〜図２２参照）。また、ＰＣＢ１５３は、図５及び図６を参照して説明し、更に図２３に示すように、容器１１０の底部に取り付けられ、次に位置決めをするキーのある位置で、測定器ハウジング１３１のレセプタクル１４５に挿入される。
【００５６】
他の実施形態において、オン−コンテナコーディング方法は、ロット較正情報を含むＲＦ識別タグ（RF ID tag）コード又は他の近距離通信（ＮＦＣ）装置等の無線周波数（ＲＦ）装置１５７を含む。ＲＦ装置１５７は、テストストリップ容器自体に埋め込まれるか、又は容器１１０の上部、底部、並びに側部にＲＦラベルとして貼り付けられる。図２４〜図２６に示すように、ロット特定情報を有する測定器１３０をコーディングするために、測定器１３０から約０ｍｍ〜１ｍｍに近接するＲＦ識別タグ１５７が表示されている。取り外し可能な測定器１３０及びコーディング情報を有するＲＦ識別タグ１５７が容器１１０の上部又は底部に取り付けられている（図２４及び図２５）。また、ＲＦ識別タグ１５７は、図５及び図６を参照して説明したように、更に図２６に示すように、容器１１０の底部に取り付けられ、次に位置決めをするキーのある位置で、測定器ハウジング１３１のレセプタクル１４５へ挿入される。
【００５７】
ＲＦ装置１５７の製造過程において、ロット較正情報は、該装置にワイヤレス（無線）通信でプログラムされる。ワイヤレス容器１１０を測定器１３０内の読み取りアンテナ、書き込みアンテナ又は電力供給アンテナに近接させて、すなわち、約０ｍｍ〜１ｍｍの距離に配置すると、ＲＦ装置１５７が測定器１３０に容器１１０からのロット情報をワイヤレス通信で読み取らせる。これにより、使用者が測定器１３０をコード化する必要性を取り除くことができる。ＲＦ装置１５７は、ＲＦ識別タグメモリ装置１５７の電力供給に要する電力量を削減するために、測定器１３０に近接して配置させることが重要である。従って、削減した電力必要量により、測定装置の電力供給に小型バッテリ及び小型携帯バッテリの使用が可能になり、使用者はポケットに入れて統合システムを持ち運ぶことが更に容易になる。
【００５８】
ロット特定情報を有する測定器１３０をコード化するためにＲＦ識別タグ１５７を使用する場合、一度の挿入又は取り付けのみでＲＦタグ１５７を読み取れるように、ロット特定情報を測定器のメモリ（図示省略）へ直接転送する。これにより使用する測定器を自動でコーディングすることができる。この方法は、使用者に依存した技術ではなく、又、使用者に対して分かり易いため、従来技術におけるコードチップ又はボタンコードの変更を忘れたために通常起こり得るコーディングエラーを取り除く。ストリップは、容器のストリップロットコードアソシエーションにより、異なる容器中に混合されることはない。加えて、ＲＦタグ１５７は、製造情報が確認された後、直ちにプログラムされる。更にＲＦタグ１５７は、予め設定されたテストの所定回数に達すると使用不能になる。当業者であれば、多数の他の格納されたパラメータ、例えば、ストリップ特定テストパラメータ、製品、テストタイプ等が、メモリチップ１５１を使用不能にできることを理解するであろう。
【００５９】
上述したオン−コンテナコーディング方法は測定器較正エラーを防ぐように設計されているが、統合診断テストシステム１００では、さらに、使用者が未だ較正されていないブランド又はロットのテストメディアを測定器１３０に誤って使用する危険性を最小限に抑えるために追加の安全装置を使用する。例えば、統合診断システム１００は、特定の起動イベント発生の際に測定器の１以上の機能を使用不能にする１以上の防止手段を含むことができる。例として、防止手段は、測定器１３０を特定の期間若しくは特定のテスト回数まで使用した後、又は特定量のテストメディアを使用した後、測定器１３０を完全に停止させる。そして、測定器１３０は単純に廃棄されるか、又は再利用するために製造業者に返却される。あるいは、防止手段は、コントローラ（図示省略）の診断テスト機能のみを停止させるか、又は単純に測定器が診断テスト結果を表示させないようにする。この場合、使用者は、残りの機能を使用するために測定器１３０を保有していてもよい。当業者であれば、測定器較正エラーを最小限に抑えて防止するために多数の他の安全装置を使用できることを理解するであろう。
【００６０】
３．補充可能なテストストリップ容器
【００６１】
図２７に示すように、例示的な統合診断テストシステム１００は、テストストリップ１２０等のテストメディアを収容する容器１１０、及び該容器１１０内のテストストリップ１２０を用いて診断テストを実施する測定器１３０、を含む。統合システム１００は、テストストリップ容器１１０に補充可能な乾燥剤１６１を有するテストストリップ１５９のホイルポーチを含む。これにより、測定器１３０に取り付けた容器１１０を交換する費用が抑えられる。使用者は、容器が空になったときに、容器１１０に補充するために、乾燥剤を有するテストストリップ１５９のホイルポーチを単に購入するだけでよい。この補充方法には、上述したあらゆるオン−コンテナコーディング方法と共に用いることができ、コード化コンタクトパッド１４７、コード化メモリチップ１５１及びＲＦ識別タグ装置１５７の使用を含む。
【００６２】
本発明の他の実施形態は、本明細書及び本明細書に開示される発明の実行を考慮することにより、当業者に明らかになるであろう。添付の特許請求の範囲に定められる本発明の真の範囲及び趣旨を逸脱することなく、本明細書及び実施形態が例示的であることを意図する。
【図面の簡単な説明】
【００６３】
【図１】本発明に従う、統合システムの第１実施形態の斜視図
【図２】本発明に従う、統合システムの第２実施形態の斜視図
【図３】本発明に従う、統合システムの第３実施形態の斜視図
【図４】本発明に従う、統合システムの第４実施形態の斜視図
【図５】本発明に従う、統合システムの第５実施形態の斜視図
【図６】本発明に従う、統合システムの第６実施形態の斜視図
【図７】診断テストに使用される１以上の装置を受けるように構成される保持具を備える測定器ハウジングの斜視図
【図８】発光ダイオードを配置した容器の斜視図
【図９】測定器に発光ダイオードを配置した容器の斜視図
【図１０】容器の外側を更に照らすための発光ダイオードを有する容器の斜視図
【図１１】容器周辺に配置されるクリップ形状を有する保持具の斜視図
【図１２】容器及び穿刺装置を収容するために用いる穴形状を有する保持具の斜視図
【図１３】本発明に従う、統合システムの第７実施形態の断面図
【図１４】取り外し可能な測定器を有したテストストリップ容器に取り付ける伝導コーディングパターンの斜視図
【図１５】測定器のレセプタクルに挿入されるテストストリップ容器に取り付ける伝導コーディングパターンの斜視図
【図１６】複数のコード化コンタクトパッドを有する基板の斜視図
【図１７】ネガティブレベルの起動トリガーを有するアナログコードインタフェースの斜視図
【図１８】ポジティブレベルの起動トリガーを有するアナログコードインタフェースの斜視図
【図１９】デジタルコードコンタクトパッド測定器インタフェースの斜視図
【図２０】コンタクトパッドを有したプリント回路基板上に配置されるメモリチップの上面図及び底面図
【図２１】コンタクトパッドを有したプリント回路基板上に配置されるメモリチップ及びのテストストリップ容器の底部に取り付けられる取り外し可能な測定器の斜視図
【図２２】コンタクトパッドを有したプリント回路基板上に配置されるメモリチップ及びテストストリップ容器の上部に取り付けられる取り外し可能な測定器の斜視図
【図２３】測定器レセプタクルに挿入されるテストストリップ容器の底部に取り付けられるコンタクトパッドを有したプリント回路基板上に配置されるメモリチップの斜視図
【図２４】テストストリップ容器の上部に取り付けられ、取り外し可能な測定器に近接する無線周波数識別タグの斜視図
【図２５】テストストリップ容器の底部に取り付けられ、取り外し可能な測定器に近接する無線周波数識別タグの斜視図
【図２６】測定器レセプタクルへ挿入されるテストストリップ容器の底部に取り付けられ、測定器に近接する無線周波数識別タグの斜視図
【図２７】補充可能なテストストリップ容器の補充に用いられる、乾燥剤を有したホイルポーチの斜視図
【図１】
0005634063.tif 000002
【図２】
0005634063.tif 000003
【図３】
0005634063.tif 000004
【図４】
0005634063.tif 000005
【図５】
0005634063.tif 000006
【図６】
0005634063.tif 000007
【図７】
0005634063.tif 000008
【図８】
0005634063.tif 000009
【図９】
0005634063.tif 000010
【図１０】
0005634063.tif 000011
【図１１】
0005634063.tif 000012
【図１２】
0005634063.tif 000013
【図１３】
0005634063.tif 000014
【図１４】
0005634063.tif 000015
【図１５】
0005634063.tif 000016
【図１６】
0005634063.tif 000017
【図１７】
0005634063.tif 000018
【図１８】
0005634063.tif 000019
【図１９】
0005634063.tif 000020
【図２０】
0005634063.tif 000021
【図２１】
0005634063.tif 000022
【図２２】
0005634063.tif 000023
【図２３】
0005634063.tif 000024
【図２４】
0005634063.tif 000025
【図２５】
0005634063.tif 000026
【図２６】
0005634063.tif 000027
【図２７】
0005634063.tif 000028